(57)【要約】【課題】  照明ユニットの取付を容易かつ交換を可能にし、寸法を広げることなく配線コードの収容スペースを確保でき、凹溝に指が挟まれるのを防止すること。【解決手段】  下面が開口する長手通し状の凹溝１１を有する手摺心材１０と、手摺心材を支持するブラケット２０と、ブラケット間における凹溝内に配設される照明ユニット３０とを具備してなり、照明ユニットは、発光部３１を収容すると共に、手摺心材の凹溝の開口部１１ａに位置すべく下面が開口する溝状に形成され、凹溝内に着脱可能に嵌合される上部カバー材３２と、上部カバー材３２の開口部に着脱可能に嵌合し、凹溝の開口部を閉塞する透明性の下部カバー材３３と、配線コード３４の端部に連結するコネクタ３５とを具備し、ブラケットの案内溝２５を介して凹溝内に配設される接続用配線コード４０のコネクタと、照明ユニットのコネクタとを接続して、手摺心材の凹溝内に連続的に照明ユニットを配設する。【選択図】    図１
2005336895.tif 000002
【特許請求の範囲】
【請求項１】
下面が開口する長手通し状の凹溝を有する手摺心材と、建物の壁面に固定される固定基部から突出する取付腕部が上記凹溝内に挿入固定されて上記手摺心材を支持する複数のブラケットと、上記ブラケット間における上記凹溝内に配設される照明ユニットとを具備する照明付き手摺であって、
上記照明ユニットは、発光部を収容する下面が開口する溝状に形成され、かつ、上記凹溝内に着脱可能に嵌合される上部カバー材と、この上部カバー材の開口部に着脱可能に嵌合し、かつ、上記凹溝の開口部を閉塞する透明性の下部カバー材と、上記発光部に接続する配線コードの端部に連結するコネクタとを具備し、
上記ブラケットに設けられた案内溝に案内されて上記凹溝内に配設される接続用配線コードの端部に連結されるコネクタと、上記照明ユニットのコネクタとを接続して、上記手摺心材の凹溝内に連続的に上記照明ユニットを配設してなる、
ことを特徴とする照明付き手摺。
【請求項２】
請求項１記載の照明付き手摺において、
上記案内溝が、ブラケットの取付腕部における固定基部側の面部に設けられ、凹溝の内方及び外方に跨って設けられる案内溝を含む、ことを特徴とする照明付き手摺。
【請求項３】
請求項１又は２記載の照明付き手摺において、
上記手摺心材は、凹溝の上端内面に形成される長手通し状の上部溝部と、上記凹溝の両内壁面から内方に向かって突出する一対の水平突部とを具備し、
上記照明ユニットにおける上部カバー材は、上端から突出して上記上部溝部に係合可能な位置決め用突片と、両側面に突設されて上記水平突部に係脱可能に係合する一対の係止凸条と、開口部の対向する両側に設けられる連続する凹凸状の係止受け細条とを具備し、
上記下部カバー材は、上記係止受け細条に係脱可能に係合する連続する凹凸状の係止細条を具備してなる、
ことを特徴とする照明付き手摺。
【請求項４】
請求項１ないし３のいずれかに記載の照明付き手摺において、
上記照明ユニットは、適宜間隔をおいて配線コードに接続する複数の回路基板と、それぞれ上記回路基板に接続する光源とからなる発光部を具備してなる、ことを特徴とする照明付き手摺。
【請求項５】
請求項１ないし３のいずれかに記載の照明付き手摺において、
上記照明ユニットは、上部カバー材の長手方向の両端に対向して配設される光源と、両光源間に接続される光ファイバとを具備し、
上記光ファイバは、設置状態の下面以外の面部に光を反射する反射膜を形成してなる、ことを特徴とする照明付き手摺。
【請求項６】
請求項１ないし５のいずれかに記載の照明付き手摺において、
上記手摺心材の端部に連結するエンドキャップに、照明ユニットの配線コードと電源とを接続する電源コードを挿通可能に形成してなる、ことを特徴とする照明付き手摺。
【請求項７】
請求項１ないし５のいずれかに記載の照明付き手摺において、
上記手摺心材の端部に連結するエンドキャップに、照明ユニットの配線コードに接続する電池を収容可能に形成してなる、ことを特徴とする照明付き手摺。
【発明の詳細な説明】
【技術分野】
【０００１】
この発明は照明付き手摺に関するもので、更に詳細には、手摺を構成する手摺心材に設けられた下面に開口する長手通し状の凹溝内に照明ユニットを着脱可能に嵌合する照明付き手摺に関するものである。
【背景技術】
【０００２】
従来、この種の照明付き手摺として、下面が開口する長手通し状の凹溝を有する手摺心材と、建物の壁面に固定される固定基部から突出する取付腕部が上記凹溝内に挿入固定されて上記手摺心材を支持する複数のブラケットと、上記ブラケット間における上記凹溝内に配設される照明ユニットとを具備する照明付き手摺が知られている（例えば、特許文献１参照）。
【０００３】
この照明付き手摺においては、照明ユニットにおける発光部（発光ダイオード）は、透明な合成樹脂製の細長いケース内に設置されていて、該ケースの上部が手摺心材の上部天井面部の溝部に嵌合接着され、また、手摺心材の凹溝の広幅溝部の底面部とケース下端との間には透明合成樹脂板が嵌挿されている。
【特許文献１】特開２００３−２９３５４１（特許請求の範囲、図２）
【発明の開示】
【発明が解決しようとする課題】
【０００４】
しかしながら、従来のこの種の手摺においては、発光部を収容するケースを、手摺心材の凹溝内に嵌合接着し、手摺心材の凹溝の広幅溝部の底面部とケース下端との間には透明合成樹脂板を嵌挿するため、照明ユニットの取付に手間を要するという問題があった。また、配線コードをブラケットと手摺心材の凹溝との隙間に配線するため、配線コードを配設するためのスペースを設ける必要があり、手摺自体が大型化するという問題もあった。また、発光部を収容するケースが、手摺心材の凹溝内に嵌合接着されているため、発光部（発光ダイオード）の交換が困難である。更には、手摺心材に設けられた凹溝の開口部が露出した状態であるため、指を挟む虞もある。
【０００５】
この発明は、上記事情に鑑みてなされたもので、照明ユニットの取付を容易にすると共に、交換を可能にし、かつ、手摺心材に設けられた凹溝を必要以上に広げることなく配線コードの収容スペースを確保でき、更には、凹溝に指が挟まれるのを防止できるようにした照明付き手摺を提供することを課題とするものである。
【課題を解決するための手段】
【０００６】
上記課題を解決するために、この発明の照明付き手摺は、下面が開口する長手通し状の凹溝を有する手摺心材と、建物の壁面に固定される固定基部から突出する取付腕部が上記凹溝内に挿入固定されて上記手摺心材を支持する複数のブラケットと、上記ブラケット間における上記凹溝内に配設される照明ユニットとを具備する照明付き手摺であって、  上記照明ユニットは、発光部を収容する下面が開口する溝状に形成され、かつ、上記凹溝内に着脱可能に嵌合される上部カバー材と、この上部カバー材の開口部に着脱可能に嵌合し、かつ、上記凹溝の開口部を閉塞する透明性の下部カバー材と、上記発光部に接続する配線コードの端部に連結するコネクタとを具備し、  上記ブラケットに設けられた案内溝に案内されて上記凹溝内に配設される接続用配線コードの端部に連結されるコネクタと、上記照明ユニットのコネクタとを接続して、上記手摺心材の凹溝内に連続的に上記照明ユニットを配設してなる、ことを特徴とする（請求項１）。
【０００７】
この発明において、上記案内溝は、接続用配線コードを案内して凹溝内に配設するものであれば、取付腕部の任意の位置に設けることができ、ブラケットの取付腕部における固定基部側の面部に設けられ、凹溝の内方及び外方に跨って設けられる案内溝を含むものである（請求項２）。
【０００８】
また、上記手摺心材は、凹溝の上端内面に形成される長手通し状の上部溝部と、上記凹溝の両内壁面から内方に向かって突出する一対の水平突部とを具備し、  上記照明ユニットにおける上部カバー材は、上端から突出して上記上部溝部に係合可能な位置決め用突片と、両側面に突設されて上記水平突部に係脱可能に係合する一対の係止凸条と、開口部の対向する両側に設けられる連続する凹凸状の係止受け細条とを具備し、  上記下部カバー材は、上記係止受け細条に係脱可能に係合する連続する凹凸状の係止細条を具備する方が好ましい（請求項３）。
【０００９】
また、上記照明ユニットは、適宜間隔をおいて配線コードに接続する複数の回路基板と、それぞれ上記回路基板に接続する光源とからなる発光部を具備するスポット光形態としてもよく（請求項４）、あるいは、上部カバー材の長手方向の両端に対向して配設される光源と、両光源間に接続される光ファイバとを具備し、上記光ファイバは、設置状態の下面以外の面部に光を反射する反射膜を形成した連続光形態にしてもよい（請求項５）。この場合、上記光源を発光ダイオード（ＬＥＤ）によって形成する方が好ましい。
【００１０】
加えて、上記手摺心材の端部に連結するエンドキャップに、照明ユニットの配線コードと電源とを接続する電源コードを挿通可能に形成するか（請求項６）、あるいは、上記手摺心材の端部に連結するエンドキャップに、照明ユニットの配線コードに接続する電池を収容可能に形成する方が好ましい（請求項７）。
【発明の効果】
【００１１】
上記のように構成することにより、以下のような効果が得られる。
【００１２】
（１）請求項１記載の発明によれば、手摺心材に設けられた凹溝内に配設される照明ユニットに、発光部を収容する下面が開口する溝状に形成され、かつ、凹溝内に着脱可能に嵌合される上部カバー材と、この上部カバー材の開口部に着脱可能に嵌合し、かつ、凹溝の開口部を閉塞する透明性の下部カバー材と、発光部に接続する配線コードの端部に連結するコネクタとを設け、ブラケットに設けられた案内溝に案内されて凹溝内に配設される接続用配線コードの端部に連結されるコネクタと照明ユニットのコネクタとを接続して、手摺心材の凹溝内に連続的に照明ユニットを配設することにより、照明ユニットを容易に手摺心材の凹溝内に取り付けることができる。また、照明ユニットは、凹溝内に着脱可能に取り付けられるので、照明ユニットの交換が容易となる。また、接続用配線コードを、ブラケットに設けられた案内溝に案内して凹溝内に配設するので、手摺心材の凹溝のスペースを有効に利用することができ、手摺自体を大型化することなく照明ユニットを内蔵することができる上、手摺心材とブラケットを固定するねじ等の固定手段から配線コードを保護することができる。更には、照明ユニットを構成する下部カバー材によって凹溝を閉塞することができるので、指を挟む虞がなく、安全の確保が図れる。
【００１３】
（２）請求項２記載の発明によれば、ブラケットの取付腕部における固定基部側の面部に設けられる案内溝を、凹溝の内方及び外方に跨って設けることにより、既存の手摺において案内溝を介して接続用配線コードを凹溝内に配設した後、照明ユニットを凹溝内に嵌合することができるので、既存の手摺に後付で照明機能を持たせることができる。
【００１４】
（３）請求項３記載の発明によれば、手摺心材は、凹溝の上端内面に形成される長手通し状の上部溝部と、凹溝の両内壁面から内方に向かって突出する一対の水平突部とを具備し、照明ユニットの上部カバー材は、上端から突出して上部溝部に係合可能な位置決め用突片と、両側面に突設されて水平突部に係脱可能に係合する一対の係止凸条と、開口部の対向する両側に設けられる連続する凹凸状の係止受け細条とを具備し、下部カバー材は、係止受け細条に係脱可能に係合する連続する凹凸状の係止細条を具備することにより、上記（１），（２）に加えて、更に凹溝に対して照明ユニットの取付を容易にすることができると共に、照明ユニットの交換、例えば発光部の交換を容易にすることができる。
【００１５】
（４）請求項４，５記載の発明によれば、照明ユニットを、適宜間隔をおいて配線コードに接続する複数の回路基板と、それぞれ回路基板に接続する光源とからなる発光部を具備するスポット光形態とするか、あるいは、照明ユニットを、上部カバー材の長手方向の両端に対向して配設される光源と、両光源間に接続される光ファイバとを具備し、この際、光ファイバは、設置状態の下面以外の面部に光を反射する反射膜を形成して連続光形態にすることができるので、上記（１）〜（３）に加えて、更に使用目的に応じた照明光のバリエーションを選択することができる。
【００１６】
（５）請求項６記載の発明によれば、手摺心材の端部に連結するエンドキャップに、照明ユニットの配線コードと電源とを接続する電源コードを挿通可能に形成することにより、上記（１）〜（４）に加えて、更に電源コードの配線部を外部から目隠しすることができ、美観の向上が図れる。
【００１７】
（６）請求項７記載の発明によれば、手摺心材の端部に連結するエンドキャップに、照明ユニットの配線コードに接続する電池を収容可能に形成することにより、上記（１）〜（４）に加えて、更に手摺の設置場所にコンセントがない場合においても、手摺に照明機能を持たせることができる。
【発明を実施するための最良の形態】
【００１８】
以下に、この発明の最良の実施形態を添付図面に基づいて詳細に説明する。
【００１９】
＜第１実施形態＞
図１は、この発明に係る照明付き手摺の第１実施形態の一部を断面で示す概略斜視図、図２は、図１のＩ−Ｉ線に沿う断面図、図３は、図１のII−II線に沿う断面図である。
【００２０】
上記照明付き手摺は、下面が開口する長手通し状の凹溝１１を有する手摺心材１０と、この手摺心材１０の外表面を被覆する合成樹脂製の断面略円形状の笠木１２と、建物の壁面Ｗに固定される固定基部２１から突出する取付腕部２２が凹溝１１内に挿入され、固定手段である固定ねじ２３によって固定されて手摺心材１０を支持する複数のブラケット２０と、ブラケット２０間における凹溝１１内に配設される照明ユニット３０とで主に構成されている。
【００２１】
上記手摺心材１０は、例えばアルミニウム製押出形材にて形成される断面略倒コ字状に形成されており、凹溝１１の上端内面の中央部には、上部溝部１３が長手通し状に形成されている。また、凹溝１１の対向する両内壁面から内方に向かって一対の水平突部１４が突出されている。
【００２２】
上記ブラケット２０は、建物の壁面Ｗに固定ボルト２４によって固定される略矩形状の固定基部２１と、この固定基部２１の上端から上方に向かって略Ｌ字状に突出する取付腕部２２とからなる例えばアルミニウム製押出形材によって形成されており、取付腕部２２の上端には接続用配線コード４０を案内する案内溝２５が設けられている（図３及び図４参照）。
【００２３】
上記照明ユニット３０は、図１，図２及び図５に示すように、発光部３１を収容すると共に、手摺心材１０の凹溝１１の開口部１１ａに位置すべく下面が開口する溝状に形成され、かつ、凹溝１１内に着脱可能に嵌合される例えばＡＢＳ（アクリロニトリル−ブタジエンスチレン樹脂）等の合成樹脂製の上部カバー材３２と、この上部カバー材３２の開口部３２ａに着脱可能に嵌合し、かつ、凹溝１１の開口部１１ａを閉塞する透明性の例えばアクリル，ポリカーボネート等の合成樹脂製の下部カバー材３３と、発光部３１に接続する配線コード３４の端部に連結するコネクタ３５とを具備している。
【００２４】
この場合、上部カバー材３２の上端部には、上方に傾斜状に突出して上部溝部１３に係合可能な位置決め用突片３６と、両側面に突設されて、手摺心材１０に設けられた水平突部１４に係脱可能に係合する一対の断面略円弧状の係止凸条３７と、開口部３２ａの対向する両側に設けられる連続する凹凸状の係止受け細条３２ｂとが設けられている。なお、上部カバー材３２の上部内方には、後述する発光部３１を構成する回路基板３１ａを係止保持する一対の内向き係止凸条３８が設けられている（図５及び図６参照）。
【００２５】
なお、この場合、位置決め用突片３６は、図２，図５及び図６に示すように、上部カバー材３２の一端側から傾斜状に延在する第１の傾斜片３６ａと、上部カバー材３２の他端側から傾斜状に突出されて第１の傾斜片３６ａの中間よりやや下方側に連結する第２の傾斜片３６ｂと、第１の傾斜片３６ａの上端から水平方向に延在する当接片３６ｃとで形成されている。このように形成される位置決め用突片３６の先端から係止凸条３７までの長さは、手摺心材１０の上部溝部１３から水平突部１４までの長さより若干長く形成されている。このように、位置決め用突片３６の先端から係止凸条３７までの長さを、手摺心材１０の上部溝部１３から水平突部１４までの長さより若干長く形成することにより、後述するように、照明ユニット３０を手摺心材１０の凹溝１１内に取り付ける（嵌合する）際に、位置決め用突片３６の先端の当接片３６ｃが上部溝部１３に当接した状態で、更に照明ユニット３０を押し込むと、位置決め用突片３６が弾性変形して、係止凸条３７が水平突部１４を乗り越えた後、スプリングバック作用により照明ユニット３０の凹溝１１内への嵌合すなわち係止凸条３７と水平突部１４との係合を確実にすることができる。なお、位置決め用突片３６の形状は、必ずしも傾斜状に突出する必要はなく、直状に突出する形状であってもよい。
【００２６】
なお、下部カバー材３３は、断面略Ｕ字状に形成されており、対峙する両脚片３３ａの外側には、係止受け細条３２ｂに係脱可能に係合する連続する凹凸状の係止細条３３ｂが設けられている。このように形成される下部カバー材３３は、上部カバー材３２の開口部側より両脚片３３ａを挿入して、係止細条３３ｂを、上部カバー材の係止受け細条３２ｂに係合させることによって上部カバー材３２に嵌合される。
【００２７】
一方、上記発光部３１は、適宜間隔をおいて配線コード３４に接続する複数の回路基板３１ａと、それぞれ回路基板３１ａに接続する光源である発光ダイオード３１ｂ（以下にＬＥＤ３１ｂという）とからなるスポット光形態に形成されている。また、発光部３１の両端に接続する配線コード３４の端部にはコネクタ３５が連結されており、上記ブラケット２０に設けられた案内溝２５に配設される接続用配線コード４０の端部に連結されるコネクタ４１と接続して、手摺心材１０の凹溝１１内に連続的に照明ユニット３０が配設されるようになっている。
【００２８】
なお、図面では、ブラケット２０間の凹溝１１内に嵌合される照明ユニット３０内に３個のＬＥＤ３１ｂが配設されている。この場合、ＬＥＤ３１ｂの間隔は３０ｃｍ毎に配置され、床面で１ルックスの明るさ（夜間照明の最低照度）が得られるようになっている。勿論、ＬＥＤ３１ｂの間隔を３０ｃｍより狭くしてブラケット２０間のＬＥＤ３１ｂの数を増やしてもよい。また、照明ユニット３０の配線コード３４同士をコネクタ３５を介して接続すれば、ブラケット２０間の凹溝１１内に複数の照明ユニット３０を配設することが可能である。
【００２９】
また、手摺心材１０の端部に連結されるエルボ状のエンドキャップ５０には、電池収容空間５１が設けられている。この電池収容空間５１内には、接続用配線コード４０を介して照明ユニット３０の配線コード３４に接続する電池６０が着脱可能に収容されている。図面では、電池６０が９Ｖの角形電池である場合を示すが、電池６０は必ずしも９Ｖの角形電池である必要はなく、例えば１．５Ｖの単３電池を複数個直列に接続したものであってもよい。
【００３０】
なお、この場合、図示しないが、電池収容空間５１内には、電池６０の他に、例えば手摺設置部の明暗を検知する明暗センサ、感度調整や出力調整等の調整機器、コンデンサ，フューズやスイッチ等の機器類を基板上に取り付けた電子制御ユニットを組み込むことも可能である。このように形成することにより、手動により発光部３１の点灯をＯＮ、ＯＦＦすることができると共に、手摺の設置場所が暗くなったときに明暗センサが検知して、自動的に発光部３１を点灯することができ、あるいは、設定の仕方によって人が近づいたときに検知して、自動的に発光部３１を点灯することも可能である。
【００３１】
上記のように構成される照明付き手摺を設置するには、ブラケット２０の取付腕部２２を手摺心材１０の凹溝１１内に挿入して固定ねじ２３によって固定する際、あるいは、固定した後、取付腕部２２に設けられた案内溝２５に接続用配線コード４０をセットする。また、予め、発光部３１を収容した上部カバー材３２と下部カバー材３３とを嵌合してなる照明ユニット３０を用意しておく。
【００３２】
そして、照明ユニット３０の配線コード３４と接続用配線コード４０とをコネクタ３５，４１を介して接続した後、手摺心材１０の凹溝１１内に照明ユニット３０を嵌合する。その後、ブラケット２０の固定基部２１を貫通する固定ボルト２４を壁に螺合して壁面Ｗに固定することで、手摺を設置することができる。なお、照明ユニット３０を交換する場合は、手摺心材１０の凹溝１１内から照明ユニット３０を取り出し、故障した照明ユニット３０の配線コード３４と接続用配線コード４０のコネクタ３５，４１を切り離して、新たな照明ユニット３０と交換して接続用配線コード４０に接続した後、再び照明ユニット３０を凹溝１１内に嵌合すればよい。なお、照明ユニット３０内の回路基板３１ａのみを交換することも可能である。また、電池６０を交換する場合は、エンドキャップ５０を手摺端部から取外した後、電池収容空間５１内から使用済みの電池６０を取り出し、新しい電池６０と交換した後、再びエンドキャップ５０を手摺端部に取り付けることによって行うことができる。
【００３３】
＜第２実施形態＞
図７は、この発明に係る照明付き手摺の第２実施形態の一部を断面で示す概略斜視図である。
【００３４】
第２実施形態は、第１実施形態における電池６０に代えて電源７０に接続する電源コード７１と配線コード３４とを接続した場合である。具体的には、接続用配線コード４０を介して電源７０に接続する電源コード７１と照明ユニット３０の配線コード３４とを接続した場合である。この場合、電源コード７１は、エンドキャップ５０に設けられた中空部５２内に挿入されて、外部から目隠しされているので、美観の向上が図れる。また、エンドキャップ５０の壁側の端部は、壁面Ｗに固定されるエンドキャップ受座８０に設けられた円筒状受け部８１内に嵌挿されている。
【００３５】
第２実施形態の照明付き手摺によれば、照明ユニット３０が電源７０に接続されているので、第１実施形態のように電池６０の交換を行う必要がなく、常に同じ状態で使用することができる。
【００３６】
なお、第２実施形態において、その他の部分は第１実施形態と同じであるので、同一部分には同一符号を付して、説明は省略する。
【００３７】
＜第３実施形態＞
図８は、この発明に係る照明付き手摺の第３実施形態の一例の一部を断面で示す概略斜視図、図９は、第３実施形態の別の例の一部を断面で示す概略斜視図である。
【００３８】
第３実施形態は、照明の発光形態を、第１及び第２実施形態のスポット光形態に代えて連続光形態とした場合である。
【００３９】
すなわち、第３実施形態においては、照明ユニット３０内に収容される発光部３１を、上部カバー材３２の長手方向の両端に対向して配設される光源であるＬＥＤ３１ｃと、両ＬＥＤ３１ｃ間に接続される光ファイバ３１ｄとで構成した場合である。この場合、図１０に示すように、光ファイバ３１ｄは、設置状態の下面以外の面部に光を反射する反射膜３１ｅが形成されている。
【００４０】
上記のように、両ＬＥＤ３１ｃ間に接続される光ファイバ３１ｄにおける設置状態の下面以外の面部に光を反射する反射膜３１ｅを形成することにより、ＬＥＤ３１ｃから照射された光Ｂが反射膜３１ｅによって下方に照射されるので、床面を連続光によって照明することができる。
【００４１】
なお、第３実施形態における照明ユニット３０に接続する配線コード３４は、第１実施形態と同様に、ブラケット２０に設けられた案内溝２５内に配設される接続用配線コード４０にコネクタ３５，４１を介して接続され、エンドキャップ５０に設けられた電池収容空間５１内に収容された電池６０に接続されるか（図８参照）、あるいは、エンドキャップ５０に設けられた中空部５２内に挿入される電源コード７１を介して電源７０に接続される。
【００４２】
なお、第３実施形態において、その他の部分は第１実施形態と同じであるので、同一部分には同一符号を付して、説明は省略する。
【００４３】
＜第４実施形態＞
図１１は、この発明に係る照明付き手摺の第４実施形態の一部を断面で示す概略斜視図、図１２は、図１１のIV−IV線に沿う断面図である。
【００４４】
第４実施形態は、既存の手摺に照明機能を持たせるようにした場合である。すなわち、図１１及び図１２に示すように、ブラケット２０として、取付腕部２２における固定基部２１側に、手摺心材１０の凹溝１１の内方と外方に跨って設けられる第２の案内溝２６を有するものを使用して、第２の案内溝２６を介して接続用配線コード４０を凹溝１１内に配設するようにした場合である。この場合、第２の案内溝２６を介して凹溝１１内に配設された接続用配線コード４０の下方への露出あるいは落下を防止するために第２の案内溝２６と凹溝１１の開口部１１ａとの間に可撓性を有するパイプ状のパッキン２７が圧入されている（図１２参照）。
【００４５】
上記のように構成することにより、既存の手摺において、第２の案内溝２６内を介して接続用配線コード４０を配設した後、接続用配線コード４０に連結するコネクタ４１と、照明ユニット３０のコネクタ３５とを接続し、そして、第１実施形態と同様に、照明ユニット３０を手摺心材１０の凹溝１１内に嵌合することによって、既存の手摺に照明機能を持たせることができる。
【００４６】
なお、ブラケット２０の取付腕部２２の上端部に第１の案内溝２５を設け、取付腕部２２の固定基部２１側に上記第２の案内溝２６を設けることにより、新設の手摺や既存の手摺のいずれにおいても、第１の案内溝２５又は第２の案内溝２６を用いて接続用配線コード４０を凹溝１１内に容易に配設することができる。
【００４７】
なお、第４実施形態において、発光部３１が、適宜間隔をおいて配線コード３４に接続する複数の回路基板３１ａと、それぞれ回路基板３１ａに接続するＬＥＤ３１ｂとからなるスポット光形態である場合について説明したが、第３実施形態のように、発光部３１を対向するＬＥＤ３１ｃと、両ＬＥＤ３１ｃ間に接続される光ファイバ３１ｄとからなる連続光形態としてもよい。
【００４８】
また、第４実施形態において、その他の部分は第１実施形態と同じであるので、同一部分には同一符号を付して、説明は省略する。
【００４９】
＜その他の実施形態＞
上記実施形態では、照明ユニット３０を電池６０又は電源７０に接続する場合について説明したが、これら電池６０、電源７０に代えて太陽電池を使用するようにしてもよい。
【００５０】
また、上記実施形態では、手摺心材１０の外周に被覆される笠木１２が断面略円形状に形成される場合について説明したが、笠木１２の断面形状は略円形以外に楕円形にしてもよく、あるいは直径の異なる略円形にしてもよい。このように笠木１２の形状や寸法が変わる場合においても、手摺心材１０における上部溝部１３と水平突部１４との距離及び凹溝１１の開口部１１ａの寸法を同じとすることで、照明ユニット３０の下部カバー材３３の下面の上下位置が多少相違するが、共通の照明ユニット３０を使用して凹溝１１を閉塞することができる。例えば、笠木１２の直径が大きい場合は照明ユニット３０の下部カバー材３３の下面が凹溝１１内に若干入り込むが、照明ユニット３０によって凹溝１１を閉塞することができるので、指を挟む虞はない。
【図面の簡単な説明】
【００５１】
【図１】この発明に係る照明付き手摺の第１実施形態の一部を断面で示す概略斜視図である。
【図２】図１のＩ−Ｉ線に沿う断面図である。
【図３】図１のII−II線に沿う断面図である。
【図４】この発明における接続用配線コードをブラケットの案内溝内に配設した状態を示す断面図である。
【図５】この発明における照明ユニットの拡大断面図である。
【図６】この発明における照明ユニットを構成する上部カバー材と下部カバー材を示す分解斜視図である。
【図７】この発明に係る照明付き手摺の第２実施形態の一部を断面で示す概略斜視図である。
【図８】この発明に係る照明付き手摺の第３実施形態の一例の一部を断面で示す概略斜視図である。
【図９】上記照明付き手摺の第３実施形態の別の例の一部を断面で示す概略斜視図である。
【図１０】第３実施形態における光源と光ファイバを示す要部側面図（ａ）及び（ａ）のIII−III線に沿う拡大断面図（ｂ）である。
【図１１】この発明に係る照明付き手摺の第４実施形態の一部を断面で示す概略斜視図である。
【図１２】図１１のIV−IV線に沿う断面図である。
【符号の説明】
【００５２】
１０  手摺心材
１１  凹溝
１１ａ  開口部
１３  上部溝部
１４  水平突部
２０  ブラケット
２１  固定基部
２２  取付腕部
２５  案内溝
２６  第２の案内溝
３０  照明ユニット
３１  発光部
３１ａ  回路基板
３１ｂ，３１ｃ  ＬＥＤ（光源）
３１ｄ  光ファイバ
３１ｅ  反射膜
３２  上部カバー材
３２ａ  開口部
３２ｂ  係止受け細条
３３  下部カバー材
３３ｂ  係止細条
３４  配線コード
３５  コネクタ
３６  位置決め用突片
３７  係止凸条
４０  接続用配線コード
４１  コネクタ
５０  エンドキャップ
５１  電池収容空間
５２  中空部
６０  電池
７０  電源
７１  電源コード
Ｗ  壁面
Ｂ  光
【図１】
2005336895.tif 000003
【図２】
2005336895.tif 000004
【図３】
2005336895.tif 000005
【図４】
2005336895.tif 000006
【図５】
2005336895.tif 000007
【図６】
2005336895.tif 000008
【図７】
2005336895.tif 000009
【図８】
2005336895.tif 000010
【図９】
2005336895.tif 000011
【図１０】
2005336895.tif 000012
【図１１】
2005336895.tif 000013
【図１２】
2005336895.tif 000014